(57)【要約】【課題】操作部材に任意方向に向かう操作力を付与することでラッチを施錠位置から解錠位置に移動できるラッチ装置とする。【解決手段】ケース３０にラッチ４０を施錠位置と解錠位置とに亘って移動自在に設け、このケース３０に作動片５０を第１の姿勢と第２の姿勢とに亘って回動自在に取付け、この作動片５０に設けたピンを前記ラッチ４０のピン挿通孔４４に挿通して作動片５０を第１の姿勢から第２の姿勢に回動することによってラッチ４０が施錠位置から解錠位置に移動するように構成し、前記作動片５０に取付けた操作部材６０に、真下、斜め下方、横向き等の任意の方向に向かう操作力を付与することで第１の姿勢の作動片５０が第２の姿勢に回動するようにしたラッチ装置。【選択図】図４
2008144398.tif 000002
【特許請求の範囲】
【請求項１】
ケースと、このケースに施錠位置と解錠位置に亘って移動自在に設けたラッチと、前記ケースに第１の姿勢と第２の姿勢とに亘って回動自在に取付けた作動片と、この作動片に取付けた操作部材を備え、
前記ラッチと作動片は、該ラッチが施錠位置の時には作動片が第１の姿勢で、前記作動片が第２の姿勢の時には前記ラッチが解錠位置となるように連結され、
前記操作部材に任意の方向に向かう操作力を付与することで第１の姿勢の作動片が第２の姿勢に回動するようにしたことを特徴とするラッチ装置。
【請求項２】
作動片に操作部材を、当該作動片の回動方向に沿って回動自在に取付けた請求項１記載のラッチ装置。
【請求項３】
ラッチを弾性部材で施錠位置に保持し、外力によって解錠位置に移動するようにし、
前記ラッチと作動片を、該作動片が第１の姿勢の時にラッチが解錠位置に移動可能に連結した請求項１又は２記載のラッチ装置。
【請求項４】
作動片の長手方向一端部をケースに回動自在に連結し、この作動片の長手方向中間部とラッチの一方に設けたピンを、他方に設けたピン挿通孔に挿通し、前記作動片の長手方向他端部に操作部材を取付け、
前記ピン挿通孔とピンは、作動片を第１の姿勢から第２の姿勢に回動することでラッチが解錠位置に移動し、かつ作動片が第１の位置の時にラッチが外力で解錠位置に移動可能とした請求項３記載のラッチ装置。
【請求項５】
建具枠に建具体を開閉自在に取付け、この建具体に、請求項１，２，３，４いずれか１項記載のラッチ装置におけるケースを取付け、
このラッチ装置のラッチが施錠位置の時に建具枠の係止部に係止して建具体を施錠するようにしたことを特徴とするラッチ装置を備えた建具。
【発明の詳細な説明】
【技術分野】
【０００１】
本発明は、開き窓などの建具における建具体を建具枠に施錠するのに用いられるラッチ装置、及びそのラッチ装置を備えた建具に関する。
【背景技術】
【０００２】
建具としては、内倒し窓、外倒し窓などのように、窓枠に障子を開閉自在に取付けた開き窓が知られている。
かかる開き窓においては、障子にラッチ装置を取付け、その障子を閉じ状態でラッチ装置によって施錠することが行われている。
前述のラッチ装置としては特許文献１に開示されたものが知られている。
このラッチ装置は、ケースにラッチを施錠位置と解錠位置とに亘って上下移動自在に設け、そのラッチをばねで上方の施錠位置に保持する。前記ケースに操作レバーの基部を上下回動自在に連結し、この操作レバーの先部を操作して下方に回動することでラッチをばねに抗して下方の解錠位置に移動するものである。
また、特許文献２に開示されたラッチ装置が知られている。
このラッチ装置は、ケースにラッチを施錠位置と解錠位置とに亘って上下移動自在に設け、そのラッチをばねで上方の施錠位置に保持する。前記ラッチに操作レバーの上部を連結し、この操作レバーの下部を操作して下方に引張ることでラッチをばねに抗して下方の解錠位置に移動するものである。
【特許文献１】実開昭５７−１５３１６２号公報
【特許文献２】特開２００１−１６４８１４号公報
【発明の開示】
【発明が解決しようとする課題】
【０００３】
前述の特許文献１に開示したラッチ装置によれば、操作レバーの先部に真直ぐ下向きの操作力、斜め下向きの操作力を付与することで操作レバーが下方に回動するので、ラッチを解錠位置に移動することができるが、前記操作レバーの先部に横向きの操作力（ラッチ移動方向と直角方向に向かう操作力）を付与しても操作レバーが下方に回動しないので、ラッチを解錠位置に移動できない。
また、前述の特許文献１に開示したラッチ装置は操作レバーに真直ぐ下向きの操作力を付与することで操作レバーを下方に移動してラッチを解錠位置に移動するものであるから、操作レバーに横向きの操作力を付与しても操作レバーが下方に移動しないので、ラッチを解錠位置に移動できない。
【０００４】
このように、特許文献１，２に開示したラッチ装置は、操作レバーに付与する操作力の方向が真直ぐ下向き、斜め下向きに限られ、任意方向に向かう操作力を付与することでラッチを解錠位置に移動できない。
【０００５】
本発明の目的は、操作部材に任意方向に向かう操作力を付与することでラッチを施錠位置から解錠位置に移動できるようにしたラッチ装置及びそのラッチ装置を備えた建具を提供することである。
【課題を解決するための手段】
【０００６】
本発明のラッチ装置は、ケースと、このケースに施錠位置と解錠位置に亘って移動自在に設けたラッチと、前記ケースに第１の姿勢と第２の姿勢とに亘って回動自在に取付けた作動片と、この作動片に取付けた操作部材を備え、
前記ラッチと作動片は、該ラッチが施錠位置の時には作動片が第１の姿勢で、前記作動片が第２の姿勢の時には前記ラッチが解錠位置となるように連結され、
前記操作部材に任意の方向に向かう操作力を付与することで第１の姿勢の作動片が第２の姿勢に回動するようにしたことを特徴とするラッチ装置である。
【０００７】
本発明のラッチ装置は、作動片に操作部材を、当該作動片の回動方向に沿って回動自在に取付けることができる。
このようにすれば、操作部材は操作力の向きに応じて回動し、任意の方向に向かう操作力でラッチが同様に解錠位置に移動し、その操作力を略一定にできる。
【０００８】
本発明のラッチ装置は、ラッチを弾性部材で施錠位置に保持し、外力によって解錠位置に移動するようにし、
前記ラッチと作動片を、該作動片が第１の姿勢の時にラッチが解錠位置に移動可能に連結することができる。
このようにすれば、ケースを建具体に取付け、その建具体を開き状態から閉じ動作することでラッチが建具枠の係止部に接して解錠位置に移動する際に、作動片が第１の姿勢のままでラッチのみがスムーズに解錠位置に移動することができる。
【０００９】
本発明のラッチ装置は、作動片の長手方向一端部をケースに回動自在に連結し、この作動片の長手方向中間部とラッチの一方に設けたピンを、他方に設けたピン挿通孔に挿通し、前記作動片の長手方向他端部に操作部材を取付け、
前記ピン挿通孔とピンは、作動片を第１の姿勢から第２の姿勢に回動することでラッチが解錠位置に移動し、かつ作動片が第１の位置の時にラッチが外力で解錠位置に移動可能とすることができる。
このようにすれば、操作部材を操作することでラッチをスムーズに解錠位置に移動できる。
【００１０】
本発明のラッチ装置を備えた建具は、建具枠に建具体を開閉自在に取付け、この建具体に、前記ラッチ装置におけるケースを取付け、
このラッチ装置のラッチが施錠位置の時に建具枠の係止部に係止して建具体を施錠するようにしたことを特徴とするラッチ装置を備えた建具である。
【発明の効果】
【００１１】
本発明のラッチ装置によれば、作動片が第１の姿勢から第２の姿勢に回動することでラッチが解錠位置に移動し、その作動片は、操作部材に任意の方向に向かう操作力を付与することで第２の姿勢に回動するので、操作部材に任意方向に向かう操作力を付与することでラッチを施錠位置から解錠位置に移動できる。
【発明を実施するための最良の形態】
【００１２】
図１に示すように、建具枠１に建具体２を開閉自在に取付けて建具としてある。
この建具体２に、その建具体２を閉じ状態で施錠するラッチ装置３が取付けてある。
図１に示す実施の形態では、建具枠１は上枠１０と下枠１１と左右の縦枠１２を方形状に連結した窓枠である。
前記建具体２は上框２０と下框２１と左右の縦框２２を方形状に連結し、その内部にガラス等のパネル２３を装着した障子である。
前記ラッチ装置３は上框２０の室内側面２０ａに取付けてある。このラッチ装置３が上枠１０の係止部、例えば受け金具１３に係脱自在である。
【００１３】
前記ラッチ装置３は図２〜図６に示すように、ケース３０とラッチ４０と作動片５０と操作部材６０を備えている。
前記ラッチ４０はケース３０に施錠位置と解錠位置とに亘って移動自在に設けてあり、そのケース３０を図１に示すように上框２０の室内側面２０ａに取付けることで、ラッチ４０が受け金具１３に係脱自在となる。
例えば、前記ケース３０はインナーケース３１とアウターケース３２と外カバー３３を有し、そのインナーケース３１とアウターケース３２でラッチ４０を移動自在（上下移動自在）に支持していると共に、ラッチ４０の下部が外カバー３３よりも下方に突出可能としてある。
前記ラッチ４０はラッチ本体４１とスライダー４２を有し、弾性部材、例えばばね４３で施錠位置に保持してある。
【００１４】
前記作動片５０はケース３０（外カバー３３）に第１の姿勢と第２の姿勢とに亘って回動自在に取付けてある。
前記作動片５０は、この実施の形態においては、その長手方向一端部がケース３０（外カバー３３）に、第１の姿勢と第２の姿勢とに亘ってラッチ移動方向（上下方向）に沿って回動自在に連結されている。例えば、外カバー３３の下部に形成したピン孔３４と作動片５０の長手方向一端部に形成した第１ピン孔５１とに亘って第１ピン５２を嵌合して作動片５０と外カバー３３を上下方向に回動自在に連結している。
【００１５】
この作動片５０に操作部材６０が取付けてある。
前記ラッチ４０と前記作動片５０は、このラッチ４０が施錠位置の時には作動片５０が第１の姿勢で、その作動片５０が第２の姿勢の時にはラッチ４０が解錠位置に移動するように連結してある。
この実施の形態では、その作動片５０の長手方向他端部に前記操作部材６０が取付けてある。
前記作動片５０の長手方向中間部と前記ラッチ４０（ラッチ本体４１）は、ラッチ４０が施錠位置の時には、その回動中心（第１ピン５２）よりも操作部材６０による操作力作用点（操作部材６０の取付部）が下となる姿勢（前述の第１の姿勢）となり、作動片５０を、その第１の姿勢よりも下方に回動した姿勢（前述の第２の姿勢）とすることでラッチ４０が解錠位置に移動するように連結してある。
【００１６】
例えば、ラッチ４０のラッチ本体４１の下部にピン挿通孔４４を形成し、作動片５０の長手方向中間部に形成した第２ピン孔５３に第２ピン５４を嵌合し、この第２ピン５４を前記ピン挿通孔４４に挿通し、作動片５０が下方に回動することで第２ピン５４がピン挿通孔４４の下内面４４ａを押すことによってラッチ４０を下方に移動して解錠位置とするようにしてある。
前記第２ピン５４は第１ピン５１を中心とする円軌跡上を移動するからラッチ移動方向と直角方向に若干移動することになるので、ピン挿通孔４４は第２ピン５４の移動を許容する形状としてある。
【００１７】
前記ピン挿通孔４４が第２ピン５４のラッチ移動方向と直角方向に移動することを許容するだけの形状、例えばピン挿通孔４４をラッチ移動方向と直角方向の長孔とすることで、前記作動片５０を第１の姿勢とすることでラッチ４０が解錠位置に移動するから、操作部材６０に操作力を付与して作動片５０を第１・第２の姿勢に回動することで、ラッチ４０を施錠位置、解錠位置に移動できる。
【００１８】
前記ピン挿通孔４４が前述した形状であると、施錠位置のラッチ４０が外力によって解錠位置に移動する時にラッチ４０のピン挿通孔４４の上内面４４ｂが第２ピン５４に押しつけられ、ラッチ４０がスムーズに解錠位置まで移動できないことがある。
そこで、ピン挿通孔４４を、第２ピン５４が相対的に上方に移動可能な形状として施錠位置のラッチ４０が外力でスムーズに解錠位置まで移動できるようにする。要するに、ラッチ４０と作動片５０を、作動片５０が第１の姿勢の時にラッチ４０が解錠位置に移動可能に連結する。
例えば、ピン挿通孔４４を図５、図６に示すように横向きの第１長孔４５と縦向きの第２長孔４６でほぼＬ字形状で、ラッチ４０が施錠位置の時に第２ピン５４が第２長孔４６と対向するようにし、施錠位置のラッチ４０が外力で下方に移動すると第２長孔４６が第２ピン５４に沿って下方に移動し、作動片５０が回動しないようにする。
【００１９】
このようにすることで、図１に仮想線で示すように開き状態の建具体２を閉じる際に、施錠位置のラッチ４０が受け金具１３に干渉することでスムーズに解錠位置に向けて移動するので、建具体２をスムーズに閉じることができる。
【００２０】
前記作動片５０は、その作動片５０が第１の姿勢の時に、操作部材６０に任意の方向の操作力、例えば真下に向かう操作力、斜め下向きの操作力、横向き（水平方向）の操作力が付与することで第２の姿勢に回動するようにしてある。
例えば、作動片５０を前述した第１の姿勢とすることで、前述のように操作部材６０に付与する任意の方向の操作力で作動片５０が第２の姿勢に回動する。
【００２１】
前記操作部材６０は、作動片５０に、当該作動片５０の回動方向に沿って回動自在に取付けてある。
この実施の形態では、前記作動片５０の長手方向他端部に操作部材６０が作動片回動方向（上下方向）に回動自在に取付けてある。例えば、操作部材６０の基部に形成したピン孔６１と作動片５０の長手方向他端部に形成した第３ピン孔５５とに亘って第３ピン５６を嵌合して作動片５０と操作部材６０を作動片回動方向に回動自在に連結している。
【００２２】
このようであるから、図４に矢印ａで示すように操作部材６０に真下に向かう操作力Ｆ１を作用すると、図７に示すように操作部材６０が真直ぐ下方に移動し、作動片５０が第１ピン５２を中心として下方に回動し、第２ピン５４でピン挿通孔４４の下内面４４ａを押してラッチ４０を解錠位置に移動できる。
【００２３】
また、図４に矢印ｂで示すように操作部材６０に斜め下向きの操作力Ｆ２を作用すると、図８に示すように操作部材６０が第３ピン５６を中心として作動片５０に対して回動しながら斜め下方に移動し、前述と同様に作動片５０が第１ピン５２を中心として下方に回動し、第２ピン５４でピン挿通孔４４の下内面４４ａを押してラッチ４０を解錠位置に移動できる。
【００２４】
また、図４に矢印ｃで示すように操作部材６０に横向き（水平）の操作力Ｆ３を作用すると、図９に示すように操作部材６０が横向き方向に移動し、作動片５０が第１ピン５２を中心として下方に回動し、第２ピン５４がピン挿通孔４４の下内面４４ａを押してラッチ４０を解錠位置に移動できる。
【００２５】
このようであるから、操作部材６０は操作力の向きに応じて作動片５０に対して回動するので、任意の方向に向かう操作力が作用した場合に作動片５０が同じように第２の姿勢に回動し、施錠位置のラッチ４０が解錠位置に移動し、その操作力がほぼ一定となる。
【００２６】
この実施の形態においては、操作部材６０は紐を連結したり、操作ロッドを引掛けるためのリング状部６２を有し、そのリング状部６２に紐を連結して引張りしたり、操作ロッドを引掛けて下方、斜め下方、横方向に引張ることでラッチ４を解錠位置に移動できる。
【００２７】
前記操作部材６０は作動片５０に回動自在に取付けしたが、これに限ることはなく、操作部材６０を操作片５０に固着したり、一体としても良い。
例えば、作動片５０と一体にレバーを設けて操作部材６０とする。
【００２８】
この実施の形態ではラッチ４０（ラッチ本体４１）にピン挿通孔４４を設け、作動片５０に第２ピン５４を設けたが、ラッチ４０に第２ピン５４を設け、作動片５０にピン挿通孔４４を設けても良い。
要するに、作動片５０の長手方向中間部とラッチ４０の一方にピンを設け、他方にピン挿通孔４４を設け、そのピンをピン挿通孔４４に挿通するようにし、このピン挿通孔４４と前記ピンを、作動片５０を第１の姿勢から第２の姿勢に回動することで、ラッチ４０が施錠位置から解錠位置に移動し、かつ作動片５０が第１の姿勢の時にラッチ５０が外力で解錠位置に移動可能とすれば良い。
【００２９】
次に、各部材の具体形状を説明する。
前記インナーケース３１は支持片３１ａと、その両側に設けた一対の取付片３１ｂを備えた板状である。
前記アウターケース３２はコ字状の支持片３２ａと、その両側に設けた一対の取付片３２ｂを備えた板状である。
そして、インナーケース３１の各取付片３１ｂとアウターケース３２の各取付片３２ｂを接して両者の支持片３１ａ，３２ａでラッチ支持部３４を形成している。
前記外カバー３３は、上面と下面と前面上部が開口したほぼ矩形箱形状で、その前面上部の左右開口縁には一対の取付片３３ａが一体に設けてあり、この一対の取付片３３ａがアウターケース３２の一対の取付片３２ｂに接するようにインナーケース３１、アウターケース３２の外面に嵌合して取付け、この外カバー３３でアウターケース３２のほぼ下半分を覆うようにしてある。
【００３０】
前記ラッチ４０は、前記ラッチ支持部３４に上下動自在に挿入してあり、このラッチ４０のラッチ本体４１の下部が外カバー３３の下部開口から下方に突出するようにしてある。
前記ラッチ本体４１は、上面４１ａが斜面で、下部には一対の縦片４１ｂを有し、この一対の縦片４１ｂに前述のピン挿通孔４４がそれぞれ形成されていると共に、この一対の縦片４１ｂ間に作動片５０の長手方向一端部が嵌まり込むようにしてある。
前記スライダー４２はコ字形状で、前記ラッチ本体４１の上部寄りに嵌め込んで取付けられる。
前記操作部材６０の上部には縦溝６３が形成され、この縦溝６３部分に前記ピン孔６１が形成してある。
そして、この縦溝６３に作動片５０の長手方向他端部が嵌まり込み、第３ピン５６で回動自在に連結されている。
【図面の簡単な説明】
【００３１】
【図１】本発明の実施の形態を示すラッチ装置を備えた建具の縦断面図である。
【図２】ラッチ装置の正面図である。
【図３】ラッチ装置の右側面図である。
【図４】図３のＡ−Ａ断面図である。
【図５】図３のＢ−Ｂ断面図である。
【図６】ラッチ装置の分解斜視図である。
【図７】操作部材に真下に向かう操作力を付与した状態の断面図である。
【図８】操作部材に斜め下方に向かう操作力を付与した状態の断面図である。
【図９】操作部材に横向きの操作力を付与した状態の断面図である。
【符号の説明】
【００３２】
１…建具枠、２…建具体、３…ラッチ装置、３０…ケース、４０…ラッチ、４４…ピン挿通孔、４４ａ…下内面、４４ｂ…上内面、５０…作動片、５２…第１ピン、５４…第２ピン、５６…第３ピン、６０…操作部材。
【図１】
2008144398.tif 000003
【図２】
2008144398.tif 000004
【図３】
2008144398.tif 000005
【図４】
2008144398.tif 000006
【図５】
2008144398.tif 000007
【図６】
2008144398.tif 000008
【図７】
2008144398.tif 000009
【図８】
2008144398.tif 000010
【図９】
2008144398.tif 000011